(57)【要約】【課題】  ＬＥＤチップの発射光を広範囲に照射させるとともに、照射方向を任意に調整することができ、さらに、製造コストや消費電力を大幅に削減することができるスティック状照明器具を提供すること。【解決手段】  本発明のスティック状照明器具（１）は、発光本体（２）の内部に、ＬＥＤチップからなる発光体（１０）を複数配設するとともに、前記発光体（１０）をから照射される光の前方に、発光本体（２）に貫通された状態に穿孔された光屈折部（２０）を穿設し、一体成形たことを特徴とする。  また、前記光屈折部（２０）は角状、円錐状、球面状に形成される。【選択図】図１
2010123560.tif 000002
【特許請求の範囲】
【請求項１】
発光本体の内部に、ＬＥＤチップからなる発光体を複数配設するとともに、前記発光体から照射される光の前方に、発光本体に貫通された状態に穿孔された光屈折部を穿設し、一体成形したことを特徴とするスティック状照明器具。
【請求項２】
前記発光本体は断面円形状に形成されている請求項１記載のスティック状照明器具。
【請求項３】
前記発光本体は断面矩形状に形成されている請求項１記載のスティック状照明器具。
【請求項４】
前記光屈折部は、角状に形成されている請求項１乃至３のうちいずれか１項に記載のスティック状照明器具。
【請求項５】
前記光屈折部は、円錐状に形成されている請求項１乃至３のうちいずれか１項に記載のスティック状照明器具。
【請求項６】
前記光屈折部は、球面状に形成されている請求項１乃至３のうちいずれか１項に記載のスティック状照明器具。
【請求項７】
前記発光本体を蛍光管内に収容させた請求項１乃至６のうちいずれか１項に記載のスティック状照明器具。
【発明の詳細な説明】
【技術分野】
【０００１】  本発明は、ＬＥＤチップの発射光を広範囲に照射させるとともに、消費電力を大幅に削減することができるスティック状照明器具に関する。
【背景技術】
【０００２】  長尺状の照明器具として周知の蛍光灯は、両端に端子を装着したガラス管内に水銀ガス等を封入し、電極間に安定器を介して電流を供給し、両極間のガス中で放電を起こしながら発光させるものであり、管内壁には蛍光物質が塗布されている。またガラス管は用途に応じ、直管、環形、Ｕ字状等の形状に形成されている。【０００３】  また、既存の直管型またはサークライン型蛍光灯の規格に対応でき、既存の直管型またはサークライン型蛍光灯取付器具および筐体を改造することなく、蛍光灯型から発光ダイオード灯型へ容易に兌換切り換えることができる蛍光灯兌換型発光ダイオード灯がある（例えば、特許文献１参照）。
上掲特許文献１の蛍光灯兌換型発光ダイオード灯は、棒状に形成した透明もしくは半透明パイプからなる合成樹脂外管体と、この棒状合成樹脂外管体の開口両端部に調整可能に取り付けた口金と、この口金に取り付けた電極ピンと、前記棒状合成樹脂外管体の内部に取り付けた棒状配線基板と、この棒状配線基板の片面または両面に固定した発光ダイオードとより成ることを特徴とする。
【特許文献１】特開２００４−３３５４２６号公報
【発明の開示】
【発明が解決しようとする課題】
【０００４】  しかし、上掲特許文献１の蛍光灯兌換型発光ダイオード灯は、発光ダイオードから照射される光が一方向に直進するため、光の照射方向が限定されるという問題があった。また、複数の発光ダイオードを棒状配線基板の片面または両面に固定することで、作業工程や材料が多くなり、コストアップに繋がるという欠点があった。【０００５】  そこで本発明は上記の点に鑑み、照射時における発射光を広範囲に照射させるとともに、照射方向を任意に調整することができ、さらに、製造コストや消費電力も大幅に削減することができるスティック状照明器具を提供することにある。
【課題を解決するための手段】
【０００６】  上記問題を解決するために本発明のスティック状照明器具は、発光本体の内部に、ＬＥＤチップからなる発光体を複数配設するとともに、前記発光体から照射される光の前方に、発光本体に貫通された状態に穿孔された光屈折部を穿設し、一体成形たことを特徴とする。【０００７】  また、前記発光本体は断面円形状に形成されている。【０００８】  また、前記発光本体は断面矩形状に形成されている。【０００９】  また、前記光屈折部は角状に形成されている。【００１０】  また、前記光屈折部は円錐状に形成されている。【００１１】  さらに、前記光屈折部は球面状に形成されている。【００１２】  またさらに、前記発光本体を蛍光管内に収容させた。
【発明の効果】
【００１３】  発光本体の内部に、発光体（ＬＥＤチップ）を複数配設するとともに、前記発光体から照射される光の前方に、発光本体に貫通された状態に穿孔された光屈折部を穿設したことにより、発光体から照射される光は光屈折部により広範囲に照射できる。【００１４】  また発光体は、既存のＬＥＤチップをリード線にて複数を連結する構造からなるため、製造方法が簡単になるとともに、製造コストや消費電力を大幅に削減できる。
【発明を実施するための最良の形態】
【００１５】  以下、本発明におけるスティック状照明器具の実施の形態を図面に基づき説明する。
図１はスティック状照明器具の使用状態を示す斜視図、図２は前記スティック状照明器具の拡大断面図、図３および図４は発光本体の斜視図、図５は光屈折部の好適例、図６および図７は他の使用状態の斜視図をそれぞれ表す。【００１６】  本発明のスティック状照明器具は、ＬＥＤチップの発射光を広範囲に照射させるとともに、照射方向を任意に調整することができ、さらに、製造コストや消費電力を大幅に削減することを特徴とするものである。また特に、本発明のスティック状照明器具は、スティック状照明器具自体が既存の蛍光管と同様の働きを有することを特徴とする。【００１７】  図１乃至図４に図示するスティック状照明器具１は、発光本体２の内部に、ＬＥＤチップからなる発光体１０を複数配設するとともに、前記発光体１０から照射される光の前方に、発光本体２に貫通された状態に穿孔された光屈折部２０を穿設し、一体成形たことを特徴とする。【００１８】  発光本体２は、透明もしくは半透明からなる合成樹脂にてスティック状（長尺状）に形成されている。また前記発光本体２の内部には、マイナス電極１１とプラス電極１２とからなる発光体１０（ＬＥＤチップ）が複数配設されている。またマイナス電極１１には発光部１３が具備されている。【００１９】  前記発光本体２内に収容された複数の発光体１０は、マイナス電極１１に具備されたマイナス端子１４と、プラス電極１２に具備されたプラス端子１５にて、それぞれ連結されている。【００２０】  また前記発光本体２には、前記発光体１０から照射される光を広範囲に屈折する光屈折部２０が穿設されている。かかる光屈折部２０は、複数の発光体１０の間であって、発光体１０から照射される光の前方部分に、発光本体２に貫通された状態に穿設されている。【００２１】  また前記発光本体２は、図３に示すように、断面円形状に形成されている。前記発光本体２を断面円形状に形成することで、図１に示す直管状蛍光管Ａ内に好適に収容することができる。【００２２】  また前記発光本体２は、図４に示すように、断面矩形状に形成してもよい。前記発光本体２を断面円形状に形成することで、光屈折部２０の穿孔工程が簡便になるとともに、光屈折部２０からの光の屈折方向を容易に決めることができる。【００２３】  また他の好適例として、光屈折部を角状に形成することが望ましい。図５の（ａ）においては、平面視で三角形の角状の光屈折部２１が穿設されている。なお、前記光屈折部は平面視で三角形に限定されるものではなく、四角形や五角形等の多角形に形成することもできる。【００２４】  また他の好適例として、図５の（ｂ）に示すように、光屈折部２２を円錐状に形成してもよい。光屈折部２２を円錐状に形成することで、前記発光本体２の周方向に光を屈折することができる。【００２５】  また他の好適例として、図５の（ｃ）に示すように、光屈折部２３を球面状に形成してもよい。光屈折部２３を球面状に形成することで、前記発光本体２の前後や周方向に広範囲に光を屈折することができる。【００２６】  また他の好適例として、本発明の発光本体２を蛍光管内に収容させることが望ましい。前記蛍光管としては、例えば図１に示す直管状蛍光管Ａ、図６に示すリング状蛍光管Ｂ、さら��は図７に示す複数の発光本体２を収容した電球型の照明器具Ｃに使用することができる。【００２７】  次に、本発明におけるスティック状照明器具の発光状態および光の屈折状態を図２に基づいて説明する。【００２８】  発光本体２の内部に配設された発光体１０（ＬＥＤチップ）は、マイナス電極１１とプラス電極１２が、マイナス端子１４とプラス端子１５にてそれぞれ複数従連されており、それぞれの端子１４，１５は給電部（図示せず）に連結されている。【００２９】  スイッチを入力すると、発光部１３から光ａが発光される。前記発光部１３から発光された光ａは、光屈折部２０の屈折面２０ａおよび２０ｂにて両側面方向に屈折され、発光本体２の側面外部へと照射される。なお、発光部１３から直進する光は、光屈折部２０内を僅かに透過して前方部分に照射される。【００３０】  また本発明のスティック状照明器具において、発光本体２に穿孔されている光屈折部２０の位置や角度を調整することにより、光ａの屈折方向を任意に調整することができる。さらに、前記光屈折部を角状、円錐状、球面状に形成することで、発光本体２から照射させる光を多方向に照射させることも可能になる。
【図面の簡単な説明】
【００３１】
【図１】本発明のスティック状照明器具の使用状態を示す代表図である。
【図２】前記スティック状照明器具の拡大断面図である。
【図３】断面円形状の発光本体の斜視図である。
【図４】断面矩形状の発光本体の斜視図である。
【図５】光屈折部の好適例を示す。
【図６】リング状の蛍光灯に使用した状態を示す。
【図７】電球型の照明器具に使用した状態を示す。
【符号の説明】
【００３２】１    スティック状照明器具
２    発光本体
１０  発光体（ＬＥＤチップ）
１１  マイナス電極
１２  プラス電極
１３  発光部
１４  マイナス端子
１５  プラス端子
２０  光屈折部
２０ａ  光屈折面
２０ｂ  光屈折面
２１  光屈折部
２２  光屈折部
２３  光屈折部
Ａ    直管状蛍光管
Ｂ    リング状蛍光管
Ｃ    電球型照明器具
ａ    光
【図１】
2010123560.tif 000003
【図２】
2010123560.tif 000004
【図３】
2010123560.tif 000005
【図４】
2010123560.tif 000006
【図５】
2010123560.tif 000007
【図６】
2010123560.tif 000008
【図７】
2010123560.tif 000009